(57)【要約】      （修正有）【課題】誘導性及び容量性の両方のカップリングのバランスを取り、これによりクロストークを最小にする。【解決手段】ネットワークケーブルジャックは誘導性及び容量性のカップリングのバランスを取るための印刷回路基板即ちＰＣＢ（ｈ）を備える。ＰＣＢの使用は製造コストの有意な増大無しにコンパクトなトレース経路の形成を可能にする。各トレース経路にニュートラル領域で分離された２つの異なるインダクタンス領域を備えることでＰＣＢトレースパターンを設計する自由度の有意な利得が達成され、一対の誘導性カップリング領域が特定プラグ及びジャックの接触子により惹起された誘導性カップリングを大きさ及び位相角度の両方で共同オフセットする。【選択図】図８
2012146678.tif 000002
【特許請求の範囲】
【請求項１】
４対のコンダクターを備えるネットワークケーブルの終端を形成するためのジャックコネクターであって、
前記４対のコンダクターは、第１及び第２のコンダクターを備える第１の対と、第３及び第４のコンダクターを備える第２の対と、第５及び第６のコンダクターを備える第３の対と、第７及び第８のコンダクターを備える第４の対と、を備え、
前記ジャックコネクターは、第１乃至第８の電気的トレースを備えた印刷回路基板（ＰＣＢ）を備えており、
前記第１乃至第８のコンダクターに対して、それぞれ前記第１乃至第８の電気的トレースが設けられ、
前記第１、第２、第３及び第４の電気的トレース（３、６、４、５）の各々は、ニュートラル領域により分離された２つの誘導性カップリング領域を通過し、第１及び第２の電気的トレースは、プラグの第３及び第６の接触子に対応し、第３及び第４の電気的トレースは、プラグの第４及び第５の接触子に対応し、
前記ニュートラル領域には、前記第１の対に対応した前記第１及び第２の電気的トレースの対と、前記第２の対に対応した前記第３及び第４の電気的トレースの対との間に、目的をもって導入された誘導性カップリングが実質的に存在しないように間隔があけられており、
前記２つの誘導性カップリング領域は、補償領域とクロストーク領域であり、
前記補償領域は、前記第２及び第３の電気的トレース（６、４）の間及び前記第１及び第４の電気的トレース（３、５）の間の誘導性カップリングを有し、
前記クロストーク領域は、前記第２及び第４の電気的トレース（６、５）の間及び前記第１及び第３の電気的トレース（３、４）の間の誘導性カップリングを有し、
前記ニュートラル領域及び前記２つの誘導性カップリング領域の各々の電気的トレースの長さを調整して、誘導性カップリングを調整することにより、クロストークを減少することができる、ジャックコネクター。
【請求項２】
各々の電気的トレースに沿った前記２つの誘導性カップリング領域は、プラグ及び前記ジャックコネクターの間で、前記プラグ及び接触子により引き起こされた誘導性カップリングを大きさ及び位相において共同でオフセットする、請求項１に記載のジャックコネクター。
【請求項３】
各々の誘導性カップリング領域内の各々の電気的トレースの長さは、前記誘導性カップリング領域により提供された誘導性カップリングが、前記ジャックコネクター及びプラグの間の誘導性カップリングを実質的にオフセットするように結合される、請求項１に記載のジャックコネクター。
【発明の詳細な説明】
【技術分野】
【０００１】
本出願は、２００３年１２月２２日に出願された「誘導性及び容量性カップリングのバランスを取る電気コネクター」と題された、アトーニー参照番号ＬＣＢ４４７の米国仮出願シリアル番号Ｎｏ．６０／５３１，７５６に基づいて優先権を請求し、参照したことで該出願の内容全体を組み込んでいる。更には、本出願は、１９９７年９月２日に出願された「時間遅延信号補償を有する電気コネクター」と題された、米国特許番号５，９９７，３５８号を参照したことで該出願の内容全体を組み込んでいる。
【０００２】
本発明は、概して、電気コネクターに係り、より詳しくは、改善された誘導性及び容量性カップリングのバランス特性を有する電気コネクターに関する。
【背景技術】
【０００３】
特定の構成部品の電気的性能又はシステム全体を、クロストークを最小にすることにより改善することが長い間求められてきた。正味の誘導性及び容量性のクロストーク成分の両方の大きさが減少されるとき、近端部クロストーク（ＮＥＸＴ）及び遠端部クロストーク（ＦＥＸＴ）の両方が減少する。
【０００４】
クロストークの誘導性成分を最小にするための過去の努力は、幾つかの場合には、プラグ内又はコネクターの他の箇所に先に存在していた誘導性カップリングにオフセット誘導性カップリングを提供するようにコネクター接触子の長さ及び配置を変える工程を備えていた。しかし、特殊な長さ及び配置を有する接触子を製造するため要求される製造プロセスは高価であった。加えて、高い周波数で過度の位相シフトを引き起こすそのような接触子は、比較的長かった。更には、そのような接触子の間のインダクタンスは、過度に変化しやすい。更に加えて又はそのような接触子設計の代わりに、印刷回路基板（ＰＣＢ）上の対の間の位相オフセットカップリングを利用するクロストークを最小にするための過去の努力は、主要には容量性カップリングを利用していた。
【発明の開示】
【発明が解決しようとする課題】
【０００５】
以上により、誘導性及び容量性の両方のカップリングのバランスを取り、これによりクロストークを最小にするための、より良い方法が求められている。
【課題を解決するための手段】
【０００６】
本発明に係るコネクター及び印刷回路基板（ＰＣＢ）は、ＰＣＢ上のトレースを用いてインダクタンスバランス機構を提供する。容量性バランス機能を提供するため、インダクタンスバランストレースを共同作用的に利用する。これは、コンパクトなコネクターで所望の結果を達成するため、能力及びコストの観点で以前の設計を超える利点を提供する。
【０００７】
本発明の幾つかの好ましい実施例では、４つの捻れたワイヤ対が終端をなす互換的に構成された標準プラグを受け取るためのジャックが提供される。当該ジャックは、プラグと嵌合するためその前側から突出する８つの接触子と、その後側から突出する８つの圧接部（ＩＤＣ‘ｓ）と、対応するターミナル及びＩＤＣ’ｓ（参照を容易にするため１乃至８と附番する）を接続する印刷回路基板に埋め込まれた８つのトレースと、を有するＰＣＢを備えている。ＰＣＢ上の４つのトレースは、比較的連結自由なニュートラル領域により分離されたカップリングの２つの異なる領域を形成するため、その様々な領域に選択的に経路が定められている。導入されたカップリングは、ジャック及びプラグの組み合わせの対３、６及び４、５の全体的な性能を改善する。
【実施例】
【０００８】
図１乃至図７は、本発明に係るカップリングバランス回路基板を利用することができるコネクターを示している。分解図（図１及び図２）で前側から後側へと見ると、主要ハウジング１と、８つの接触子３を支持するための接触子キャリア２と、が存在する。接触子は、好ましくは、貫通孔スタイルの前側からＰＣＢ４と係合し、後部から８つのＩＤＣ５と係合する。好ましくは一対の案内レイル７を有する後部ハウジング６は、ＩＤＣのための通路を備え、配線キャップ１２は、個々のワイヤ対を絶縁するための四分の一区分の導電性対仕切り部１０を備えるのが好ましい。この領域における無遮蔽の捻れワイヤ対は、典型的には、手動設置プロセスに依存した様々な量の捻れを有する。仕切り部は、この領域におけるワイヤ対の間のクロストークカップリングを無くす。仕切り部１０は、コネクター内、例えばキー孔スロット９内へと仕切り部を取り付けるための取り付けポスト１１を備えていてもよい。ラッチ８が、後部ハウジング６と、配線キャップ１２とを組み立てるために使用されてもよい。
【０００９】
図８及び図９は、対応して付番された接触子孔及びＩＤＣ孔の間のＰＣＢトレースを示している。特定トレースの断面レイアウトが、補償領域（図９ａ）、ニュートラル領域（図９ｂ）及びクロストーク領域（図９ｃ）内に示されている。これらの断面トレース設計の結果として、誘導性カップリングは、補償及びクロストークの領域内で特定のワイヤ対の間に目的を持って導入されるが、ニュートラル領域には、目的を持って導入されたカップリングが存在していない。
【００１０】
図１０は、正味の誘導カップリング（特定の誘導カップリング領域の大きさ及び位相角度に基づいたベクトル追加）を計算するための誘導ベクトル原点を確立するためのトレース長領域仕切り部及び／又は中央点を示している。図１１は、図示の特定実施例のジャックのための、カップリングの大きさ及び正味ゼロとなる位相角度を示す概略ベクトル図である。
【００１１】
インダクタンスのバランスを取るためＰＣＢを使用することは、ＰＣＢ上のトレース経路がコンパクトであり、製造コストの有意な増大を招来すること無しに安価に達成するという点で、従来のインダクタンスバランス技術（例えば接触子配置等）にとって好ましい。加えて、コネクターのプラグ又は他の部分から所定のインダクタンスをオフセットするため一定の大きさのインダクタンス（平行に走る経路としての経路長さ）が目的を持って導入されるところの、単一の補償領域のみを使用することは、位相シフトに起因して高い周波数では効果が無くなる。本発明に係るコネクターは、位相シフトを考慮に入れるため米国特許番号５，９９７，３５８号の教えを利用している。本出願は、ここで参照したことにより米国特許番号５，９９７，３５８号の内容全体を組み込んでいる。しかし、ニュートラル領域により分離された２つの別個のインダクタンス領域を含ませることにより、誘導性カップリング領域の対は、特定のプラグ及びジャック接触子により引き起こされた誘導性カップリングを、大きさ及び位相角度の両方において共同してオフセットするように、ＰＣＢ上にトレースパターンを設計する自由度に有意な利得があることが理解されよう。
【００１２】
本発明の好ましい実施例では、電気経路は、プラグからプラグ接触子とＰＣＢ上の接触子貫通孔との間の接触子の一部分を通って、トレースの予備補償部分に沿って、トレースの補償領域、トレースのニュートラル領域、トレースのクロストーク領域、及び、対応するＩＤＣへと延在してもよい。特定のトレースは、これらの領域中の特定のトレース対の間に目的を持って導入された誘導性カップリングを一般に欠いている。様々なトレース部分の長さは、設計上考慮されるが、補償領域及びクロストーク領域により提供された誘導性カップリングとそれらの長さとは、プラグ及びジャックの接触子において誘導性カップリングを一般にオフセットするべく結合されるように、様々な領域内に経路長さを提供するように一般に選択される。
【００１３】
本システムを設計する際には幾つかの自由度が存在しているが、特に２つのインダクタンス領域（補償領域及びクロストーク領域）の間に、ニュートラル領域を設けることは、貫通孔位置及びＰＣＢ上のトレース経路を設計する際にかなりの自由を与え、かくして、ターミナル及びＩＤＣがＰＣＢ上に配置されることに関する自由度をより多くする。また、上記のことは、キャパシタンスのバランス機能を奏するように、ＰＣＢ上にキャパシタンスを導入するためのより多くの選択肢を提供する。
【００１４】
図１０に示されるような好ましい実施例では、本願で教えられる印刷回路基板設計は、対３、６及び４、５の間の誘導性カップリングの３つの領域を有する。補償領域(領域ｂ）とクロストーク領域（領域ｃ）とが存在し、これらのカップリングの大きさは、領域の長さにより調整することができる。対の間で最小の正味のカップリングを有するニュートラル領域も存在しており、その長さを調整することができる。
【００１５】
図１１は、本実施例のベクトルシュミレーションである。
ベクトルａ：プラグのクロストーク及びジャックのクロストークは、補償領域の中心（誘導性カップリング中心）に対するそれらの位相シフトと接触する。
【００１６】
ベクトルｂ：印刷回路基板の補償領域の補償であり、ベクトルｂは、この領域の中心に有効に位置している。
ベクトルｃ： ＩＤＣのクロストークのために調整された印刷回路基板クロストーク領域のクロストークであり、補償領域の中心に対してそれらが位相シフトした状態で、ベクトルｃがこの領域の中心に有効に位置している。
【００１７】
ベクトルｂ及びｃの間の距離及び環境に起因した位相シフトは、ベクトルａ及びｂの間の距離及び環境に起因した位相シフトに等しい。図１１に示されるように、この設計では、ａｂ＝ｂｃであり、ベクトルａの長さは、ベクトルｃの長さに等しく、ベクトルａの垂直成分とベクトルｃの垂直成分との加算値は、５００ＭＨｚのヌル周波数においてベクトルｂの長さに等しい。図１１により概略的に示されるように、理想的な結果は、ニュートラル領域の長さを調整し、ベクトルｂ及びｃの大きさを調整することにより、ｂｃを独立に調整することによって達成することができる。
【００１８】
図１３に示されるようなＰＣＢを備えた図１に示されるようなジャックの設計の目的は、誘導性及び容量性の両方のカップリングにより引き起こされる詳細カテゴリ６プラグの対３，６及び４，５の間のクロストークを補償することである。
【００１９】
ＰＣＢ上の電流運搬トレースは、それらが提供する誘導性カップリングに類似した、補償及びクロストーク領域に容量性カップリングを提供するが、追加の容量性カップリングが要求される。これは、図１２乃至図１４に示されるように電流運搬リードの区分の上方及び下方でキャパシタプレートを選択的に追加することにより提供される。
【００２０】
図１２ａ及び図１２ｂは、図８に示されるＰＣＢの電流運搬トレースにキャパシタプレートを追加した状態を示している。
図１３は、キャパシタプレートを追加した、図８に示されるＰＣＢのレイアウトの概略前面図である。
【００２１】
図１４は、図１３のラインＡ−Ａを横断する図１３のＰＣＢのレイアウトの概略断面図である。
この設計は、比較的コンパクトなＰＣＢ形状を提供する。それは、補償及びクロストーク領域の両方に、要求された誘導性及び容量性のカップリングを提供するため電流運搬トレースを利用している。
【００２２】
各々の容量性カップリングの配置は、電流運搬トレースと、連係するキャパシタプレートとの間の接続の配置により制御される。各々の容量性カップリングの大きさは、電流運搬トレースに平行なキャパシタプレートの長さにより決定される。
【００２３】
容量性カップリングベクトル原点位置は、誘導性のカップリングベクトル原点に近接しているが、誘導性及び容量性カップリングは、独立にバランスされている。
特定プラグのカップリングは次の通り計算された。
【００２４】
誘導性カップリング：１．４２８ｎＨ
容量性カップリング：０．９３６ｐＦ
ジャックＰＣＢ設計の設計パラメータの目標は次の通りである。
【００２５】
【数１】
2012146678.tif 000003
【００２６】
ベクトル角度ＡＢ＝ベクトル角度ＢＣ＝３２．３６°
この設計は、シミュレーション及び計算により決定され、プロトタイプの設計のための基礎となる。プロトタイプを調整するため、ＮＥＸＴｄＢ対周波数のプロットが実行されるべきである。最初に、ニュートラル領域の長さは、ヌル（−ｄＢ）が最大になるまで変えられるべきである。ベクトルａの大きさがベクトルｂの大きさに等しいということを仮定すると、このことは、ａｂをｂｃに等しくさせる。第２には、補償領域の大きさは、ヌル周波数が５００ＭＨｚとなるまで変えられるべきである。補償領域の長さが、その大きさを変化させるように変えられる場合、ニュートラル領域の長さは、＜ａｂを＜ｂｃに等しくさせるように変化されなければならない。なお、ＰＣＢにより提供されるクロストーク及び補償は、誘導性及び容量性カップリングの組み合わせとなり、理想的な組み合わせは、標準のプラグ及びジャック接触子の組み合わせに合致する。
【００２７】
本願で示唆された教えは、追加される対の組み合わせに適用することもできる。最新式の方法が、各対のニュートラル状態に、最適対のインピーダンス及びバランスを得るために使用される。
【００２８】
同じＰＣ基板は、図１５乃至図１７に示されるようにパンチダウン終端設計のためＩＤＣにも適合する。
図１５ａ及び図１５ｂは、図１に示されるものに類似したジャックの斜視図であるが、配線キャップ１２が、パンチダウン終端ブロック１３で代用された。
【００２９】
主要ハウジング１は、図１に示されたジャックと実質的に同じである。
図１６ａ及び図１６ｂは、図１５ａ及び図１５ｂに示されたジャックの分解斜視図である。
【００３０】
ＩＤＣ１４のステムは、図１のジャックのものと同じであるが、ＩＤＣブレード１５の位置及び配置が変更された。この態様では、好ましいＩＤＣブレードの位置及び配置は、共通のＰＣＢを備えた、配線キャップ及びパンチダウンブロックの両方に対して達成される。
【００３１】
図１７は、図１６ｂのラインＡ−Ａを横断した図１６のジャックの断面図である。
図１８は、ジャック接触子１６及び接触子ホルダー１７の一実施例を示している。接触子及び接触子ホルダーの構成は、ジャックハウジングへの接触子ホルダーの組み立ての前後に接触子ホルダー内に接触子を維持する。本実施例では、奇数番号のジャック接触子１６ｏの全ては、一つの独自の形状を有する。偶数番号のジャック接触子１６ｅは、別の独自の形状を持ち、接触子の永久的変形無しに、設置されたプラグから印刷回路基板へと比較的短い伝導性経路に、要求された接触子力を提供するため、全ての接触子は、独自の断面寸法を持っている。
【００３２】
加えて、接触子ホルダー１７は、各接触子１６の下で心向き支持部１８を組み込んでおり、各接触子における応力集中を減少させる。
接触子形状は、プラグと接触する区分１９において比較的水平であり、特定プラグにおける許容寸法変動に起因して接触子の力における変化を最小にする。
【００３３】
接触子厚さに対する接触子幅の比率は、約１．８：１である。当該技術分野の矩形接触子の典型的な状態に対するこの比率は、１．３：１である。接触子２０の自由端部が支持される。
【００３４】
６接触子プラグが、上記接触子を備えたジャック内に設置された場合、接触子の１番と８番とが損傷を受けることになる。このことを防止するため、図１における突出キー２１が、接触子の１番と８番との位置でジャックハウジング内に備えられ、６接触子プラグの設置を防止している。
【００３５】
図１９に示されるような別の実施例では、接触子２２が、接触子の損傷無しに６位置プラグの設置を容易にするための代替設計を持っている。接触子２２は、１番及び８番の接触子位置に設置される。この接触子設計は、それ自身と電気的に接触する独自の「安全ピン」のループ２３を備えており、該ループでは、該接触子は、プラグとＰＣＢとの間の短い伝導性経路に、機械的な可撓性を提供するように位置２４においてそれ自身に隣接している。
【００３６】
図２０ａ及び図２０ｂは、図１９の接触子の概略図である。「安全ピン」のループ２３は、接触子ホルダー１７内に拘束されており、電流経路２６を提供するため、２４における電気的接触を確保するため矢印により示されるように、捻られている。
【００３７】
図１９の接触子２２は、プラグから印刷回路基板の伝導性経路の長さを最小にするため、更に加えて８接触子ジャックにおいて６接触子プラグの設置を残すように設計されている。
【００３８】
図２１乃至図２６に示されるように、工場においてジャック内に設置された金属対仕切り部１０が存在する。現場においては、ケーブルは、キャップ１２内に設置され、当該キャップは、ジャックの背部６内の開口部２８内に押しやられ、当該ケーブルを終結させ、金属対仕切り部をケーブルの端部に隣接したところに配置する。
【００３９】
図２３に示されるように、金属対仕切り部１０は、設置ケーブルの端部近傍の領域２８においてワイヤ対の間に電気的シールドを提供する。ケーブルのこの部分は、典型的には、各対のワイヤの適切な捻れを欠き、及び／又は、各対の適切なシールド作用を欠いているところであった。
【００４０】
従って、金属対仕切り部１０は、クロストークの振幅及びばらつきを減少させる。
キャップが設置されたとき、金属対仕切り部１０の端部３０と、設置されたケーブルジャケットとの間には、ケーブルジャケットとＩＤＣとの間の対の必要な再配置を容易にする上で十分な空間２９が存在している。
【００４１】
図２１乃至図２３は、図１の非遮蔽ジャックの後部を示している。
図２４乃至図２６は、図１の遮蔽ジャックの後部を示している。
遮蔽バージョンにおける相違点は、配線キャップ１２を図２６に示された遮蔽配線キャップ３１で代用したことであり、該遮蔽配線キャップは、図２３乃至図２６で示されたプラスチック部分３２と、図２６に示された金属部分３３とから構成される。
【００４２】
図２７は、図１のジャックの遮蔽バージョン３４の斜視図である。
図２８は、シールド３５、主要ハウジング１、後部ハウジング６、対仕切り部１０、及び、遮蔽配線キャップ３１を示す図２７のジャックの分解図である。
【００４３】
図２９ａ及び図２９ｂは、遮蔽配線キャップ３１の金属部分３３の代替設計の斜視図である。
図３０ａ及び図３０ｂは、キャップ３１の金属部分３３の端側面図である。
【００４４】
遮蔽バージョンの設計は、現場でシールドを設置する必要性を無くす。ケーブルがキャップ内に設置されたとき、ケーブルシールドは、キャップの金属部分に接続される。
キャップがジャックボディに設置されたとき、配線キャップ３１の金属部分３３は、ジャックシールドに接続される。
【００４５】
この引っ張り解放／接地キャップアッセンブリは、遮蔽ケーブルをジャックに固定し且つ接地ケーブルのシールドをジャックのシールドに電気的に接続するための手段を提供する。この設計は、非常に広い範囲に亘る直径に適合する。
【００４６】
引っ張り解放／接地キャップアッセンブリの設置：
１． ケーブルが、次の指令毎に準備される。
−ジャケット取り外し、 ３．８１〜５．０８ｃｍ（１1/2〜２インチ）
−ジャケットを覆って組みひもを折り返す−ジャケットの回りの余剰巻き付け
−キャップ／コンダクターの配位毎に対を配置する（例えば、５６８Ｂ）
２． コンダクター対は、設置キャップを通って供給され配置される。フォイルシールドは、各ワイヤはワイヤスロットに入るところで切断され、ワイヤが９０度曲げられ、ワイヤスロット内に挿入され、切断される。
３． キャップアッセンブリがジャックハウジングの背部内に配置され、設置ツール又はプライヤー（図示せず）を用いて押し込められる。
４． スプリングクリップが、ケーブルの組みひも及び接地キャップの間で良好な接触を確保するため、プライヤー等を用いて完全に係合される。
５． クリップ／接地キャップによるケーブル／オーバーブレイドからハウジングシールド上のスプリングタブまでグラウンドが接続される。
【００４７】
図３１は、図２７に示されたような遮蔽ジャックで使用するための「遮蔽パッチパネル」３６の前側斜視図である。
図３２は、図３１に示されたパッチパネル３６の後側斜視図である。
【００４８】
図３３は、遮蔽パッチパネル３６の分解した後側斜視図である。
構成部品には、金属フレーム３７と、プラスチック挿入体３８と、接地フィンガー４０を備えたスプリング金属接地ストリップ３９と、ストリップ３９をネットワークグラウンド４１（図示せず）に接地するための手段と、が含まれている。
【００４９】
図３４ａは、遮蔽パッチパネル３６の側断面図である。
図３４ｂは、接地フィンガー４０が位置４１でジャックシールド３５に押圧された状態で設置された典型的な遮蔽ジャック２６を備えた遮蔽パッチパネル３６の側断面図である。
【図面の簡単な説明】
【００５０】
【図１】図１は、本発明の実施例に係るジャックの前上側右部の分解斜視図である。
【図２】図２は、図１のジャックの後上側右部の斜視図である。
【図３】図３は、図１のジャックの組み立てられた形態における前面図である。
【図４】図４は、図３のラインＡ−Ａに沿って抽出された図３のジャックの断面図である。
【図５】図５は、図３のラインＢ−Ｂに沿って抽出された図３のジャックの断面図である。
【図６】図６は、協働プラグが挿入された、図１のジャックの前面図である。
【図７】図７は、図６のラインＣ−Ｃに亘って抽出された図６のジャックの断面図である。
【図８】図８は、本発明の実施例に係る印刷回路基板の電流運搬トレースのレイアウトの概略前面図である。
【図９ａ】図９ａは、図８のラインＡ−Ａに亘って抽出された図８の印刷回路基板の概略断面図である。
【図９ｂ】図９ｂは、図８のラインＣ−Ｃに亘って抽出された図８の印刷回路基板の概略断面図である。
【図９ｃ】図９ｃは、図８のラインＥ−Ｅに亘って抽出された図８の印刷回路基板の概略断面図である。
【図１０】図１０は、誘導性領域仕切り及び誘導性ベクトル原点位置を示す図８の印刷回路基板の概略前面図である。
【図１１】図１１は、本発明の好ましい実施例に係る誘導性振幅及び位相角度を示す概略ベクトル図である。
【図１２ａ】図１２ａは、図８に示されたＰＣＢの電流運搬トレースの一区分へのキャパシタプレートの追加を示す。
【図１２ｂ】図１２ｂは、図８に示されたＰＣＢの電流運搬トレースの一区分へのキャパシタプレートの追加を示す。
【図１３】図１３は、キャパシタプレートが追加された図８に示されたＰＣＢのレイアウトの概略前面図である。
【図１４ａ】図１４ａは、図１３のラインＡ−Ａを横断する図１３のＰＣＢのレイアウトの概略断面図である。
【図１４ｂ】図１４ｂは、図１３のラインＢ−Ｂを横断する図１３のＰＣＢのレイアウトの概略断面図である。
【図１４ｃ】図１４ｃは、図１３のラインＣ−Ｃを横断する図１３のＰＣＢのレイアウトの概略断面図である。
【図１５ａ】図１５ａは、ケーブル終端キャップが、パンチダウンケーブル終端法のため使用される永久パンチダウンブロックで代替されたことを除いて図１に示されたようなジャックの斜視図である。
【図１５ｂ】図１５ｂは、ケーブル終端キャップが、パンチダウンケーブル終端法のため使用される永久パンチダウンブロックで代替されたことを除いて図１に示されたようなジャックの斜視図である。
【図１６ａ】図１６ａは、図１５ａのジャックの分解斜視図である。
【図１６ｂ】図１６ｂは、図１５ｂのジャックの分解斜視図である。
【図１７】図１７は、図１６ｂのラインＡ−Ａを横断した図１６のジャックの断面図である。
【図１８】図１８は、図６のジャックの接触子及び接触子ホルダーの側面図である。
【図１９】図１９は、図１８の外側接触子のうち一つの代替設計の斜視図である。
【図２０ａ】図２０ａは、図１９の接触子の概略図である。
【図２０ｂ】図２０ｂは、図１９の接触子の概略図である。
【図２１】図２１は、金属対の仕切り部を備える図１のジャックの後部の後面から見た分解斜視図である。
【図２２】図２２は、金属対の仕切り部を備える図１のジャックの後部の前面から見た分解斜視図である。
【図２３】図２３は、図１のジャックの後部に設置された金属対の仕切り部の側断面図である。
【図２４】図２４は、金属対の仕切り部を備えるジャックの遮蔽バージョンの後部の後面から見た分解斜視図である。
【図２５】図２５は、金属対の仕切り部を備えるジャックの遮蔽バージョンの後部の前面から見た分解斜視図である。
【図２６】図２６は、図１のジャックの遮蔽バージョンの後部に設置された金属対の仕切り部の側断面図である。
【図２７】図２７は、図１のジャックの遮蔽バージョンの斜視図である。
【図２８】図２８は、図２７のジャックの分解図である。
【図２９ａ】図２９ａは、図２７のジャックのための接地キャップの代替設計の斜視図である。
【図２９ｂ】図２９ｂは、図２７のジャックのための接地キャップの代替設計の斜視図である。
【図３０ａ】図３０ａは、図２９の接地キャップの端部側面図である。
【図３０ｂ】図３０ｂは、図２９の接地キャップの端部側面図である。
【図３１】図３１は図２７の遮蔽ジャックで使用するための「遮蔽パッチパネル」の前側斜視図である。
【図３２】図３２は、図３１の「遮蔽パッチパネル」の後側斜視図である。
【図３３】図３３は、図３１の「遮蔽パッチパネル」の分解斜視図である。
【図３４ａ】図３４ａは、図３１の「遮蔽パッチパネル」の側断面図である。
【図３４ｂ】図３４ｂは、図３１の「遮蔽パッチパネル」の側断面図である。
【図１】
2012146678.tif 000004
【図２】
2012146678.tif 000005
【図３】
2012146678.tif 000006
【図４】
2012146678.tif 000007
【図５】
2012146678.tif 000008
【図６】
2012146678.tif 000009
【図７】
2012146678.tif 000010
【図８】
2012146678.tif 000011
【図９ａ】
2012146678.tif 000012
【図９ｂ】
2012146678.tif 000013
【図９ｃ】
2012146678.tif 000014
【図１０】
2012146678.tif 000015
【図１１】
2012146678.tif 000016
【図１２ａ】
2012146678.tif 000017
【図１２ｂ】
2012146678.tif 000018
【図１３】
2012146678.tif 000019
【図１４ａ】
2012146678.tif 000020
【図１４ｂ】
2012146678.tif 000021
【図１４ｃ】
2012146678.tif 000022
【図１５ａ】
2012146678.tif 000023
【図１５ｂ】
2012146678.tif 000024
【図１６ａ】
2012146678.tif 000025
【図１６ｂ】
2012146678.tif 000026
【図１７】
2012146678.tif 000027
【図１８】
2012146678.tif 000028
【図１９】
2012146678.tif 000029
【図２０ａ】
2012146678.tif 000030
【図２０ｂ】
2012146678.tif 000031
【図２１】
2012146678.tif 000032
【図２２】
2012146678.tif 000033
【図２３】
2012146678.tif 000034
【図２４】
2012146678.tif 000035
【図２５】
2012146678.tif 000036
【図２６】
2012146678.tif 000037
【図２７】
2012146678.tif 000038
【図２８】
2012146678.tif 000039
【図２９ａ】
2012146678.tif 000040
【図２９ｂ】
2012146678.tif 000041
【図３０ａ】
2012146678.tif 000042
【図３０ｂ】
2012146678.tif 000043
【図３１】
2012146678.tif 000044
【図３２】
2012146678.tif 000045
【図３３】
2012146678.tif 000046
【図３４ａ】
2012146678.tif 000047
【図３４ｂ】
2012146678.tif 000048